(57)【要約】【課題】木製の部材の外側に金属製の部材を取り付けたフェンスにおいて、金属製の部材の取付けや取外しを容易に行うことができるもので、また、取付けを行った金属製の部材が脱落を防止することができるフェンスを提供する。【解決手段】フェンスを構成するフェンス本体は、横枠部１２等を有する枠状部と、格子状部４０とを有する木製のラチス材と、ラチス材の周囲に設けられた金属製の枠状部で、横枠部５２等を有する枠状部とを有している。横枠部１２には、レール状の溝部２２、３２が設けられ、横枠部５２には、係止部５２ａ、５２ｂが設けられている。【選択図】        図４
2005068643.tif 000002
【特許請求の範囲】
【請求項１】
フェンス等に用いるラチス状部材であって、
枠状部で、該枠状部の枠状に沿って溝部が形成された枠状部と、該枠状部の内側の領域に設けられた格子状部と、を有するラチス材で、ラチス材を構成する部材の少なくとも一部が木製であるラチス材と、
該枠状部の周囲に設けられた金属製の第２枠状部で、該溝部に係止する係止部を有する第２枠状部と、を有することを特徴とするラチス状部材。
【請求項２】
フェンス等に用いるラチス状部材であって、
木製の枠状部で、該枠状部の枠状に沿って溝部が形成された枠状部と、該枠状部の内側の領域に設けられた、木製の格子状部と、を有するラチス材と、
該枠状部の周囲に設けられた金属製の第２枠状部で、該溝部に係止する係止部を有する第２枠状部と、を有することを特徴とするラチス状部材。
【請求項３】
フェンス等に用いるラチス状部材であって、
木製の枠状部で、該枠状部の正面側と背面側とに溝部が該枠状部の枠状に沿って形成された枠状部と、該枠状部の内側の領域に設けられた、木製の格子状部と、を有するラチス材と、
該枠状部周囲の端面と該枠状部の正面側と該枠状部の背面側とをカバーする金属製の第２枠状部で、断面略コ字状を呈し、該第２枠状部の内側の面に、該溝部に係止するための係止部が対向して設けられている第２枠状部と、を有することを特徴とするラチス状部材。
【請求項４】
フェンス等に用いるラチス状部材であって、
ラチス材で、
四角形状の枠状に形成された枠状部で、木製の棒状の横枠部の一対と木製の棒状の縦枠部の一対とを有し、該枠状部の正面側と背面側とに溝部が該横枠部と縦枠部の長手方向に沿って形成された枠状部と、
該枠状部の内側の領域に設けられた、木製の格子状部と、を有するラチス材と、
該枠状部の周囲に設けられた第２枠状部で、該一対の横枠部に沿って設けられた金属製の横方向部材と、該一対の縦枠部に沿って設けられた金属製の縦方向部材とを有し、該横方向部材と縦方向部材とは、断面略コ字状を呈し、その内側の面に、該溝部に係止するための係止部が対向して設けられている第２枠状部と、を有することを特徴とするラチス状部材。
【請求項５】
上記ラチス材における枠状部に水抜き用の孔部が設けられ、また、第２枠状部における該孔部に対応する位置にも水抜き用の孔部が設けられていることを特徴とする請求項１又は２又は３又は４に記載のラチス状部材。
【請求項６】
フェンスであって、
上記請求項１又は２又は３又は４又は５に記載のラチス状部材と、
該ラチス状部材を支持するための支柱と、を有することを特徴とするフェンス。
【請求項７】
上記フェンスが、さらに、支柱の下端に取り付けられた基礎部で、枠状の板状を呈する枠状部を備えた基礎部を有することを特徴とする請求項６に記載のフェンス。
【請求項８】
草花等の植物を飼育するためのプランターであって、
上記請求項１又は２又は３又は４又は５に記載のラチス状部材と、
該ラチス状部材を取り付けるための支柱と、を有し、
少なくとも３つのラチス状部材によりコ字状に配設されてなることを特徴とするプランター。
【請求項９】
上記プランターにおける互いに平行に配設されたラチス状部材間に設けられた棒状部材を有することを特徴とする請求項８に記載のプランター。
【発明の詳細な説明】
【０００１】
【発明の属する技術分野】
本発明は、フェンスやプランターに関するものであり、特に、ラチス（「ラティス」としてもよい）材を用いたフェンスやプランターに関するものである。
【０００２】
【従来の技術】
従来より、木製の棒状部材を格子状に配設してなるラチス材を用いたフェンスが存在する。
【０００３】
また、木製の部材（例えば、格子材）の周囲又は周囲の一部に金属製の部材を設けたものが存在する。例えば、木製のパネル体の上下の木製横枠と左右の木製縦枠とをそれぞれ金属製の上下の金属横枠と左右の金属縦枠とで囲んで固着したものが存在する（特許文献１参照）。
【０００４】
【特許文献１】
実用新案登録公報第２５３９６３８号
また、木製のフェンス本体１の上端縁に笠木を設け、また、フェンス本体１の側方に連結体を取り付けるものが存在する（特許文献２参照）。
【０００５】
【特許文献２】
特開平２００３−７４２１８号
【０００６】
【発明が解決しようとする課題】
しかし、上記従来の場合には、金属製の部材はねじ具や釘等で固着されるのみであるので、その取付けや取外しが容易ではないという問題があり、また、ねじ具や釘による固着が十分でない場合に、簡単に金属製の部材が外れてしまうという問題があった。
【０００７】
そこで、本発明は、木製の部材の外側に金属製の部材を取り付けたフェンスにおいて、金属製の部材の取付けや取外しを容易に行うことができるもので、また、取付けを行った金属製の部材が脱落を防止することができるフェンスを提供することを目的とするものである。
【０００８】
【課題を解決するための手段】
本発明は上記問題点を解決するために創作されたものであって、第１には、フェンス等に用いるラチス状部材であって、枠状部で、該枠状部の枠状に沿って溝部が形成された枠状部と、該枠状部の内側の領域に設けられた格子状部と、を有するラチス材で、ラチス材を構成する部材の少なくとも一部が木製であるラチス材と、該枠状部の周囲に設けられた金属製の第２枠状部で、該溝部に係止する係止部を有する第２枠状部と、を有することを特徴とする。
【０００９】
この第１の構成のラチス状部材においては、ラチス材の周囲に金属製の第２枠状部が設けられているので、ラチス材が腐食した場合には、このラチス材のみを交換すればよく、コストを削減することができる。また、ラチス材の枠状部に溝部が設けられ、第２枠状部に係止部が設けられているので、この係止部を溝部に係止させてスライドさせていけばよいので、第２枠状部の取付けや取外しが容易となる。また、第２枠状部をラチス材に取り付けた状態では、この係止部がラチス材の枠状部の溝部に係止しているので、第２枠状部のラチス材からの脱落を防止することができる。
【００１０】
また、第２には、フェンス等に用いるラチス状部材であって、木製の枠状部で、該枠状部の枠状に沿って溝部が形成された枠状部と、該枠状部の内側の領域に設けられた、木製の格子状部と、を有するラチス材と、該枠状部の周囲に設けられた金属製の第２枠状部で、該溝部に係止する係止部を有する第２枠状部と、を有することを特徴とする。
【００１１】
この第２の構成のラチス状部材においては、ラチス材の周囲に金属製の第２枠状部が設けられているので、ラチス材が腐食した場合には、このラチス材のみを交換すればよく、コストを削減することができる。また、ラチス材の枠状部に溝部が設けられ、第２枠状部に係止部が設けられているので、この係止部を溝部に係止させてスライドさせていけばよいので、第２枠状部の取付けや取外しが容易となる。また、第２枠状部をラチス材に取り付けた状態では、この係止部がラチス材の枠状部の溝部に係止しているので、第２枠状部のラチス材からの脱落を防止することができる。
【００１２】
また、第３には、フェンス等に用いるラチス状部材であって、木製の枠状部で、該枠状部の正面側と背面側とに溝部が該枠状部の枠状に沿って形成された枠状部と、該枠状部の内側の領域に設けられた、木製の格子状部と、を有するラチス材と、該枠状部周囲の端面と該枠状部の正面側と該枠状部の背面側とをカバーする金属製の第２枠状部で、断面略コ字状を呈し、該第２枠状部の内側の面に、該溝部に係止するための係止部が対向して設けられている第２枠状部と、を有することを特徴とする。
【００１３】
この第３の構成のラチス状部材においては、ラチス材の周囲に金属製の第２枠状部が設けられているので、ラチス材が腐食した場合には、このラチス材のみを交換すればよく、コストを削減することができる。また、ラチス材の枠状部に溝部が設けられ、第２枠状部に係止部が設けられているので、この係止部を溝部に係止させてスライドさせていけばよいので、第２枠状部の取付けや取外しが容易となる。また、第２枠状部をラチス材に取り付けた状態では、この係止部がラチス材の枠状部の溝部に係止しているので、第２枠状部のラチス材からの脱落を防止することができる。
【００１４】
なお、この第３の構成を以下のようにしてもよい。すなわち、「フェンス等に用いるラチス状部材であって、枠状部で、該枠状部の正面側と背面側とに溝部が該枠状部の枠状に沿って形成された枠状部と、該枠状部の内側の領域に設けられた格子状部と、を有するラチス材で、ラチス材を構成する部材の少なくとも一部が木製であるラチス材と、該枠状部周囲の端面と該枠状部の正面側と該枠状部の背面側とをカバーする金属製の第２枠状部で、断面略コ字状を呈し、該第２枠状部の内側の面に、該溝部に係止するための係止部が対向して設けられている第２枠状部と、を有することを特徴とするラチス状部材。」としてもよい。
【００１５】
また、第４には、フェンス等に用いるラチス状部材であって、ラチス材で、四角形状の枠状に形成された枠状部で、木製の棒状の横枠部の一対と木製の棒状の縦枠部の一対とを有し、該枠状部の正面側と背面側とに溝部が該横枠部と縦枠部の長手方向に沿って形成された枠状部と、該枠状部の内側の領域に設けられた、木製の格子状部と、を有するラチス材と、該枠状部の周囲に設けられた第２枠状部で、該一対の横枠部に沿って設けられた金属製の横方向部材と、該一対の縦枠部に沿って設けられた金属製の縦方向部材とを有し、該横方向部材と縦方向部材とは、断面略コ字状を呈し、その内側の面に、該溝部に係止するための係止部が対向して設けられている第２枠状部と、を有することを特徴とする。
【００１６】
この第４の構成のラチス状部材においては、ラチス材の周囲に金属製の第２枠状部が設けられているので、ラチス材が腐食した場合には、このラチス材のみを交換すればよく、コストを削減することができる。また、ラチス材の枠状部に溝部が設けられ、第２枠状部に係止部が設けられているので、この係止部を溝部に係止させてスライドさせていけばよいので、第２枠状部の取付けや取外しが容易となる。また、第２枠状部をラチス材に取り付けた状態では、この係止部がラチス材の枠状部の溝部に係止しているので、第２枠状部のラチス材からの脱落を防止することができる。
【００１７】
なお、この第４の構成を以下のようにしてもよい。すなわち、「フェンス等に用いるラチス状部材であって、ラチス材で、四角形状の枠状に形成された木製の枠状部で、棒状の横枠部の一対と棒状の縦枠部の一対とを有し、該枠状部の正面側と背面側とに溝部が該横枠部と縦枠部の長手方向に沿って形成された枠状部と、該枠状部の内側の領域に設けられた、木製の格子状部と、を有するラチス材と、該枠状部の周囲に設けられた第２枠状部で、該一対の横枠部に沿って設けられた金属製の横方向部材と、該一対の縦枠部に沿って設けられた金属製の縦方向部材とを有し、該横方向部材と縦方向部材とは、断面略コ字状を呈し、その内側の面に、該溝部に係止するための係止部が対向して設けられている第２枠状部と、を有することを特徴とするラチス状部材。」としてもよい。
【００１８】
また、第５には、上記第１から第４までのいずれかの構成において、上記ラチス材における枠状部に水抜き用の孔部が設けられ、また、第２枠状部における該孔部に対応する位置にも水抜き用の孔部が設けられていることを特徴とする。これにより、雨水がラチス材の枠状部に溜まるのを防止することができ、ラチス材の腐食の程度を小さくすることができる。
【００１９】
なお、上記第４の構成において、上記ラチス材における枠状部に水抜き用の孔部が設けられ、また、第２枠状部における該孔部に対応する位置にも水抜き用の孔部が設けられており、また、該横枠部と縦枠部が、格子状部の端部を挿入するための第２溝部を有し、一対の横枠部のうち下側に位置する横枠部の該第２溝部が孔部に向けて傾斜しているものとしてもよい。また、上記第４の構成において、該横枠部と縦枠部が、格子状部の端部を挿入するための第２溝部を有し、一対の横枠部のうち下側に位置する横枠部の該第２溝部に腐食防止用の塗料が塗布されているものとしてもよい。また、上記第４の構成において、該横枠部と縦枠部が、格子状部の端部を挿入するための第２溝部を有し、一対の横枠部のうち下側に位置する横枠部の該第２溝部をカバーするカバー部が設けられているものとしてもよい。つまり、格子状部の部分を除いて、下側の横枠部の該第２溝部をカバーするようにする。
【００２０】
また、第６には、フェンスであって、上記第１又は２又は３又は４又は５の構成のラチス状部材と、該ラチス状部材を支持するための支柱と、を有することを特徴とする。
【００２１】
この第６の構成のフェンスにおいては、フェンスにおけるラチス状部材においては、ラチス材の周囲に金属製の第２枠状部が設けられているので、ラチス材が腐食した場合には、このラチス材のみを交換すればよく、コストを削減することができる。また、ラチス材の枠状部に溝部が設けられ、第２枠状部に係止部が設けられているので、この係止部を溝部に係止させてスライドさせていけばよいので、第２枠状部の取付けや取外しが容易となる。また、第２枠状部をラチス材に取り付けた状態では、この係止部がラチス材の枠状部の溝部に係止しているので、第２枠状部のラチス材からの脱落を防止することができる。
【００２２】
また、第７には、上記第６の構成において、上記フェンスが、さらに、支柱の下端に取り付けられた基礎部で、枠状の板状を呈する枠状部を備えた基礎部を有することを特徴とする。
【００２３】
この第７の構成のフェンスにおいては、基礎部を地中に埋設することにより支柱を支持する。よって、支柱を安定して立設させることができる。
【００２４】
また、第８には、草花等の植物を飼育するためのプランターであって、上記第１又は２又は３又は４又は５の構成のラチス状部材と、該ラチス状部材を取り付けるための支柱と、を有し、少なくとも３つのラチス状部材によりコ字状に配設されてなることを特徴とする。
【００２５】
この第８の構成のプランターにおいては、少なくとも３つのラチス状部材によりコ字状に配設されているので、平面視でコ字状になるように設置して、該コ字状で囲まれた領域に枠状の部材や容器状の部材を配置し、その中に土を入れて植物の飼育に利用する。このプランターにおけるラチス状部材においては、ラチス材の周囲に金属製の第２枠状部が設けられているので、ラチス材が腐食した場合には、このラチス材のみを交換すればよく、コストを削減することができる。また、ラチス材の枠状部に溝部が設けられ、第２枠状部に係止部が設けられているので、この係止部を溝部に係止させてスライドさせていけばよいので、第２枠状部の取付けや取外しが容易となる。また、第２枠状部をラチス材に取り付けた状態では、この係止部がラチス材の枠状部の溝部に係止しているので、第２枠状部のラチス材からの脱落を防止することができる。
【００２６】
また、第９には、上記第８の構成において、上記プランターにおける互いに平行に配設されたラチス状部材間に設けられた棒状部材を有することを特徴とする。よって、この棒状部材に植木鉢等をぶら下げて使用することができる。
【００２７】
【発明の実施の形態】
本発明の実施の形態としての実施例を図面を利用して説明する。フェンスＰは、図１〜図１０に示されるように構成され、フェンス本体Ａと、支柱Ｂ１、Ｂ２等と、基礎部Ｃと、カバー部Ｄ１、Ｄ２等とを有している。
【００２８】
このフェンス本体（ラチス状部材）Ａは、ラチス材５と、枠状部（第２枠状部）５０とを有している。このラチス材５は、図３等に示すように、枠状部１０と、格子状部４０とを有していて、一部（例えば、釘、ネジ等の固定部材）を除いて木製であり、基本的には全体として木製である。
【００２９】
枠状部１０は、全体に長方形状の枠状を呈していて、横枠部１２と、縦枠部１４と、横枠部１６と、縦枠部１８とを有している。つまり、枠状部１０は、角棒を長方形状の枠状に形成した形状を呈している。
【００３０】
この横枠部１２は、全体に略角棒状を呈していて、Ｚ２方向を向いた上面部と、Ｙ１方向を向いた正面部と、Ｙ２方向を向いた背面部とを有し、底面側（つまり、枠状部１０における内側）には、格子状部４０の上端を挿入するための溝部Ｍが設けられている。また、横枠部１２の左右の端部は、斜めに傾斜して形成されている。
【００３１】
また、縦枠部１４も、全体に略角棒状を呈していて、Ｘ２方向を向いた側面部と、Ｙ１方向を向いた正面部と、Ｙ２方向を向いた背面部とを有し、左側面側（つまり、枠状部１０における内側）には、格子状部４０の右端を挿入するための溝部Ｍが設けられている。また、縦枠部１４の上下の端部は、斜めに傾斜して形成されている。
【００３２】
また、横枠部１６は、横枠部１２とＸ１−Ｘ２方向の対称面を中心に対称に形成されていて、全体に略角棒状を呈していて、Ｚ１方向を向いた底面部と、Ｙ１方向を向いた正面部と、Ｙ２方向を向いた背面部とを有し、上面側（つまり、枠状部１０における内側）には、格子状部４０の下端を挿入するための溝部Ｍが設けられている。また、横枠部１６の左右の端部は、斜めに傾斜して形成されている。なお、この横枠部１６には、水抜き用の貫通穴１７が設けられている。つまり、溝部Ｍの底部と横枠部１６の底面間を貫通する貫通穴が複数箇所設けられている。
【００３３】
また、縦枠部１８は、縦枠部１４とＺ１−Ｚ２方向の対称面を中心に対称に形成されていて、全体に略角棒状を呈していて、Ｘ１方向を向いた側面部と、Ｙ１方向を向いた正面部と、Ｙ２方向を向いた背面部とを有し、右側面側（つまり、枠状部１０における内側）には、格子状部４０の左端を挿入するための溝部Ｍが設けられている。また、縦枠部１８の上下の端部は、斜めに傾斜して形成されている。
【００３４】
なお、枠状部１０を枠状に形成するに際しては、互いに隣接する部材における傾斜して形成された端部を合わせることにより形成されている。なお、実際の組み立てには、枠状部１０の角部において、釘等の固定部材により組み立てられている。
【００３５】
また、枠状部１０の正面側と背面側には、溝状部（溝部）２０が形成されている。この溝状部２０は、横溝部２２、３２と、縦溝部２４、３４と、横溝部２６、３６と、縦溝部２８、３８からなる。
【００３６】
つまり、横溝部（溝部）２２が、枠状部１０の上側枠部（つまり、横枠部１２と、縦枠部１４の上端部分と、縦枠部１８の上端部分とで形成される部分）の正面側の左端から右端にまで形成され、また、横溝部３２が、枠状部１０の該上側枠部の背面側の左端から右端にまで形成されている。この横溝部２２、３２は、上側枠部の内側付近（つまり、下端付近）に上側枠部の長手方向に沿って形成されている。なお、横溝部２２と横溝部３２とは互いに対称の位置に形成されている。
【００３７】
また、縦溝部（溝部）２４が、枠状部１０の右側枠部（つまり、縦枠部１４と、横枠部１２の右端部分と、横枠部１６の右端部分とで形成される部分）の正面側の上端から下端にまで形成され、また、縦溝部３４が、枠状部１０の該右側枠部の背面側の上端から下端にまで形成されている。この縦溝部２４、３４は、右側枠部の内側付近（つまり、左端付近）に右側枠部の長手方向に沿って形成されている。なお、縦溝部２４と縦溝部３４とは互いに対称の位置に形成されている。
【００３８】
また、横溝部（溝部）２６が、枠状部１０の下側枠部（つまり、横枠部１６と、縦枠部１４の下端部分と、縦枠部１８の下端部分とで形成される部分）の正面側の左端から右端にまで形成され、また、横溝部３６が、枠状部１０の該下側枠部の背面側の左端から右端にまで形成されている。この横溝部２６、３６は、下側枠部の内側付近（つまり、上端付近）に下側枠部の長手方向に沿って形成されている。なお、横溝部２６と横溝部３６とは互いに対称の位置に形成されている。
【００３９】
また、横溝部（溝部）２８が、枠状部１０の左側枠部（つまり、縦枠部１８と、横枠部１２の左端部分と、横枠部１６の左端部分とで形成される部分）の正面側の上端から下端にまで形成され、また、縦溝部３８が、枠状部１０の該左側枠部の背面側の上端から下端にまで形成されている。この縦溝部２８、３８は、左側枠部の内側付近（つまり、右端付近）に左側枠部の長手方向に沿って形成されている。なお、縦溝部２８と縦溝部３８とは互いに対称の位置に形成されている。
【００４０】
なお、枠状部１０の正面側と背面側に設けられた上記溝部において互いに隣接する溝部は枠状部１０の角部の位置で交差している。例えば、横溝部２２と縦溝部２８と、さらには、横溝部３２と縦溝部３８とは左上の角部で交差しており、また、横溝部２２と縦溝部２４と、さらには、横溝部３２と縦溝部３４とは右上の角部で交差しており、また、横溝部２６と縦溝部２８と、さらには、横溝部３６と縦溝部３８とは左下の角部で交差しており、また、横溝部２６と縦溝部２４と、さらには、横溝部３６と縦溝部３４とは右下の角部で交差している。
【００４１】
なお、上記横溝部２２、２６、３２、３６や縦溝部２４、２８、３４、３８は、その断面形状は、図４等に示すように、方形状を呈している。これらの横溝部２２、２６、３２、３６や縦溝部２４、２８、３４、３８は、金属製の枠部をスライドさせる際のレールとして機能することになる。
【００４２】
また、格子状部４０は、板状で棒状の部材を格子状に形成してなるものであり、左側に下側に傾斜した第１傾斜部材４２と、右側に下側に傾斜した第２傾斜部材４４とを所定の間隔を介して格子状に配設したものである。複数の第１傾斜部材４２は互いに平行に配設され、また、複数の第２傾斜部材４４も互いに平行に配設されている。この格子状部４０の外形は全体に長方形状に形成され、枠状部１０の内側に形成された溝部Ｍ内に設けられるような大きさとなっている。なお、格子状部４０は、斜めに傾斜した部材が格子状となっているものとして説明したが、互いに平行な水平方向の部材と互いに平行な垂直方向の部材とにより格子状としてもよい。
【００４３】
また、この枠状部１０には、支柱に取り付けるためのネジ穴が設けられている。つまり、縦枠部１４と縦枠部１８には、ネジ穴が設けられた金属製の部材（固定部材）Ｒが複数箇所に埋設して設けられている。なお、この部材Ｒは金属製でなく木製であってもよい。また、部材Ｒを設けるのではなく、縦枠部１４と縦枠部１８にネジ穴を設けるようにしてもよい。
【００４４】
なお、枠状部１０における横枠部１２、１６、縦枠部１４、１８や、格子状部４０は木製である。つまり、横枠部１２、１６と縦枠部１４、１８により構成される枠状部は木製である。
【００４５】
次に、枠状部５０について説明する。枠状部５０は、ラチス材５の周囲に設けられたの部材であり、横枠部（横方向部材）５２と、縦枠部（縦方向部材）５４と、横枠部（横方向部材）５６と、縦枠部（縦方向部材）５８とを有している。
【００４６】
この横枠部５２と、縦枠部５４と、横枠部５６と、縦枠部５８とは、いずれも、図４〜図７に示すように、断面コ字状を呈し、コ字状形状における開口側の内側には係止部が形成されている。つまり、横枠部５２は、図２、図４に示すように、板状の中央部５２−１と該中央部５２−１の両側から立設した立設部（「垂直に設けられた垂直部」としてもよい）５２−２、５２−３を有し、立設部５２−２には係止部５２ａが、立設部５２−３には係止部５２ｂが形成されている。なお、図２に示すように、中央部５２−１の長さは立設部５２−２、５２−３の長さよりも長く形成されていて、横枠部５２は、その両端において、中央部５２−１が突出した状態となっている。つまり、中央部５２−１は、縦枠部５８の立設部５８−２の幅と縦枠部５４の立設部５４−２の幅分だけ、立設部５２−２、５２−３よりも長く形成されている。また、中央部５２−１は、ラチス材５の長手方向の長さ、つまり、横枠部１２の長さと同じか若干長く形成されている。
【００４７】
また、縦枠部５４は、図２、図５に示すように、板状の中央部５４−１と該中央部５４−１の両側から立設した立設部（「垂直に設けられた垂直部」としてもよい）５４−２、５４−３を有し、立設部５４−２には係止部５４ａが、立設部５２−３には係止部５４ｂが形成されている。この縦枠部５４の長さは、ラチス材５の短手方向の長さ、つまり、縦枠部１４の長さに対して、横枠部１６の厚み、つまり、Ｚ１−Ｚ２方向の長さα（図２参照）分短い長さに形成されている。
【００４８】
また、横枠部５６は、図２、図６に示すように、板状の中央部５６−１と該中央部５６−１の両側から立設した立設部（「垂直に設けられた垂直部」としてもよい）５６−２、５６−３を有し、立設部５６−２には係止部５６ａが、立設部５６−３には係止部５６ｂが形成されている。なお、図２に示すように、中央部５６−１の長さは立設部５６−２、５６−３の長さよりも長く形成されていて、横枠部５６は、図２における左側の端部において、中央部５６−１が突出した状態となっている。つまり、中央部５６−１は、縦枠部５８の立設部５８−２の幅分だけ、立設部５６−２、５６−３よりも長く形成されている。また、中央部５６−１の長さは、横枠部５２の中央部５２−１と同じ長さに形成されている。なお、この横枠部５６の中央部５６−１には、水抜き用の孔部５７が設けられている。つまり、横枠部１６に設けられた貫通穴１７に対応した位置に孔部５７が設けられている。
【００４９】
また、縦枠部５８は、図２、図７に示すように、板状の中央部５８−１と該中央部５８−１の両側から立設した立設部（「垂直に設けられた垂直部」としてもよい）５８−２、５８−３を有し、立設部５８−２には係止部５８ａが、立設部５８−３には係止部５８ｂが形成されている。この縦枠部５８の長さは、ラチス材５の短手方向の長さ、つまり、縦枠部１８の長さと同じ長さに形成されている。
【００５０】
なお、係止部５２ａ、５２ｂ、５４ａ、５４ｂ、５６ａ、５６ｂ、５８ａ、５８ｂ、図４〜図７に示すように、略三角形状を呈していて、開口部側に傾斜した傾斜面と立設部の面から立設した垂直面とから形成された形状を呈している。なお、各枠部における係止部は互いに対向して設けられている。
【００５１】
また、縦枠部５４と縦枠部５８には、支柱に取り付けるための穴部Ｗが設けられている。
【００５２】
なお、枠状部５０は金属製である。つまり、枠状部５０を構成する横枠部５２と、縦枠部５４と、横枠部５６と、縦枠部５８とは、金属製（例えば、ステンレス製）である。
【００５３】
次に、支柱Ｂ１、Ｂ２等について説明する。支柱Ｂ１は、２つのフェンス本体Ａを接続しつつ支持するためのもので、特に、２つのフェンス本体Ａを直線状に連結して支持するのに使用する。この支柱Ｂ１は、図８に示すように、断面Ｈ状の柱状を呈する本体部１００と、該本体部１００の開口部分Ｋの下側に設けられた断面コ字状の柱状を呈する台部１０２とを有している。なお、図８において、台部１０２は本体部１００の一方の開口部分Ｋにのみ設けられているが、実際には、反対側の開口部分Ｋにも設けられている。この支柱Ｂ１において、下側の部分、つまり、台部１０２が設けられている部分が脚部１１０となり、台部１０２が設けられていない上側部分がフェンス本体Ａを取り付けるための取付け部１１２となる。この取付け部１１２には、フェンス本体Ａを取り付けるための穴部Ｔが設けられている。
【００５４】
また、支柱Ｂ２は、２つのフェンス本体Ａを接続しつつ支持するためのもので、特に、２つのフェンス本体Ａを直角方向に連結して支持するのに使用する。この支柱Ｂ２は、図９に示すように、断面コ字状の柱状形状と断面Ｌ字状の柱状形状とを組み合わせた柱状の形状をなす本体部２００と、本体部２００の開口部分Ｋの下側に設けられた断面コ字状の柱状の台部（図示せず）とを有している。この本体部２００において、２つの開口部分Ｋは、直角方向を向いているといえる。なお、図９において、台部は図示されていないが、支柱Ｂ１の場合と同様に、本体部２００における開口部分Ｋの下側の部分に設けられている。この支柱Ｂ２において、下側の部分、つまり、台部が設けられている部分が脚部２１０となり、台部が設けられていない上側部分がフェンス本体Ａを取り付けるための取付け部２１２となる。この取付け部２１２には、フェンス本体Ａを取り付けるための穴部Ｔが設けられている。
【００５５】
なお、支柱Ｂ２は図９に示すものを説明したが、これと面対称の形状のものも用意しておくことが好ましい。
【００５６】
なお、上記においては、支柱Ｂ１と支柱Ｂ２とを説明したが、フェンスＰの端部において、１つのフェンス本体Ａを支持するための支柱も設けられる。つまり、図１０に示す支柱Ｂ３は、１つのフェンス本体Ａを支持するためのもので、断面コ字状の柱状を呈する本体部３００と、該本体部３００の断面コ字状における開口部分に設けられた、断面コ字状を呈する台部３０２とを有し、この支柱Ｂ３において、下側の部分、つまり、台部３０２が設けられている部分が脚部となり、台部が設けられていない上側部分がフェンス本体Ａを取り付けるための取付け部となる。この取付け部には、フェンス本体Ａを取り付けるための穴部Ｔが設けられている。
【００５７】
なお、支柱Ｂ１、Ｂ２、Ｂ３等は金属製（例えば、ステンレス製）である。また、支柱Ｂ１、Ｂ２、Ｂ３における取付け部の長さは、フェンス本体Ａの高さ（つまり、フェンス本体ＡのＺ１−Ｚ２方向の長さ）よりも若干短く形成されている。つまり、フェンス本体Ａを支柱Ｂ１、Ｂ２、Ｂ３に設置すると、フェンス本体Ａの上端の一部が支柱Ｂ１等から突出する。そして、その突出した部分をカバー部Ｄ１、Ｄ２でカバーするようになっている。
【００５８】
以上のように、各種支柱が設けられているので、フェンスＰ全体の形状に応じて支柱を適宜選択すればよい。
【００５９】
次に、基礎部Ｃについて説明する。基礎部Ｃは、支柱Ｂ１等を安定して支持するための部材であり、図１０に示すように、本体部５００と、接続部材５１０とを有している。ここで、本体部５００は、全体に四角形状の枠板状を呈し、２つの板状部５０２と２つの板状部５０４とを組み合わせて全体に四角形状の枠状に形成したものである。つまり、板状部５０２は、板状本体部５０２ａと板状本体部５０２ａの両側端から直角方向に形成された板状端部５０２ｂとを有し、板状部５０２は、その側端が直角に折曲した形状に形成され、これにより、両側端が略Ｌ字状に形成されている。また、板状部５０４も同様に、板状本体部５０４ａと板状本体部５０４ａの両側端から直角方向に形成された板状端部５０４ｂとを有し、板状部５０４は、その側端が直角に折曲した形状に形成され、これにより、両側端が略Ｌ字状に形成されている。なお、板状部５０２においては、板状本体部５０２ａの側方の端部近くに穴部が設けられ、また、板状部５０４においては、板状端部５０４ｂに穴部が設けられている。また、板状部５０４の板状本体部５０４ａの上部には、接続部材５１０と接続するための穴部が設けられている。そして、２つの板状部５０２を互いに対向するように配置し、２つの板状部５０４を互いに対向するように配置するとともに、板状部５０２と板状部５０４とが隣接するように配置して、全体に四角形状の枠状になるように配置し、隣接する板状部同士をボルトとナット等の止め部材により固着して本体部５００を枠状に形成する。
【００６０】
また、接続部材５１０は、帯板状の部材の両側を折曲して略コ字状に形成した形状を呈する部材であり、互いに平行な片部には穴部が設けられ、他の部材とボルトとナット等の止め部材により固着できるようになっている。なお、本体部５００や接続部材５１０は、金属製（例えば、ステンレス製）である。
【００６１】
なお、図１０では、基礎部Ｃは、支柱Ｂ３に接続されているが、支柱Ｂ１や支柱Ｂ２にも接続される。
【００６２】
次に、カバー部Ｄ１、Ｄ２は、フェンス本体Ａを支柱に取り付けた際に、フェンス本体Ａの上端部分をカバーするためのもので、全体にコ字状の板状を呈している。
【００６３】
上記構成のフェンスＰの組立てについて説明する。まず、基礎部Ｃにおける本体部５００を組み立てて、その後、接続部材５１０を介して支柱と本体部５００とを接続する。つまり、図１０に示すように、基礎部Ｃに支柱を取り付ける。支柱の取付けに際しては、接続部材５１０の一方の端部と板状部５０４とをボルトとナット等からなる止め部材により互いに固着するとともに、接続部材５１０の他方の端部と支柱とを該止め部材により互いに固着して、支柱を接続する。なお、図１０においては、基礎部Ｃには支柱Ｂ３が取り付けられた状態を示しているが、他の支柱Ｂ１や支柱Ｂ２であってもよい。
【００６４】
上記のように基礎部Ｃに取り付けられた支柱間にフェンス本体Ａを取り付けるわけであるが、その前に、フェンス本体Ａを組み立てる場合には、ラチス材５に枠状部５０を取り付けてフェンス本体Ａを組み立てる。つまり、枠状部５０をラチス材５に取り付ける際には、枠状部５０を構成する横枠部や縦枠部に係止部が設けられていて、ラチス材５には溝状部２０が設けられているので、横枠部や縦枠部の係止部を溝状部２０に係止させた上でスライドさせて取り付ければよい。
【００６５】
すなわち、まず、横枠部５２をラチス材５のＸ１側の端部又はＸ２側の端部から係止部５２ａを横溝部２２内に係止させるとともに係止部５２ｂを横溝部３２に係止させた上で横枠部５２をスライドさせる。すると、この横溝部２２、３２に沿って横枠部５２がスライドしていき、容易に横枠部５２をラチス材の横枠部１２に沿って取り付けることができる。
【００６６】
横枠部５２の取付けが完了したら、次に、縦枠部５４と縦枠部５８を取り付ける。つまり、縦枠部５４を縦枠部１４に沿って取り付け、また、縦枠部５８を縦枠部１８に沿って取り付ける。この場合も同様に、係止部を縦溝部に係止させてスライドさせることにより、容易に縦枠部５８と縦枠部５４とを取り付けることができる。この場合、縦枠部５４においては、係止部５４ａは縦溝部２４に係止させ、係止部５４ｂは縦溝部３４に係止させ、また、縦枠部５８においては、係止部５８ａは縦溝部２８に係止させ、係止部５８ｂは縦溝部３８に係止させる。
なお、縦枠部５４、５８の取付けに当たっては、ラチス材５の下端側からスライドさせて取り付ける。なお、縦枠部５４、５８を所定の取付け位置、すなわち、縦枠部５４、５８の上端がラチス材５の上端に対応する位置にある場合には、横枠部５２の側方の立設部５２−２、５２−３は縦枠部５４、５８に当接して容易にはスライドできなくなり、横枠部５２が不用意に外れることがない。
【００６７】
また、縦枠部５４、５８の取付けが完了したら、横枠部５６をラチス材５に取り付ける。つまり、横枠部５６を横枠部１６に沿って取り付ける。この場合も同様に、係止部を縦溝部に係止させてスライドさせることにより、容易に横枠部５６を取り付けることができる。この場合、係止部５６ａは縦溝部２６に係止させ、係止部５６ｂは縦溝部３６に係止させる。なお、横枠部５６の取付けに当たっては、ラチス材５の右端側からスライドさせて取り付ける。なお、横枠部５６を所定の取付け位置、すなわち、横枠部５６の左端がラチス材５の左端位置にある場合には、縦枠部５８の下端が横枠部５６の中央部５６−１に当接して縦枠部５８は下方に容易にスライドできなくなり、縦枠部５８が不用意に外れることがない。また、横枠部５６が該所定の取付け位置にある場合には、縦枠部５４の下端が横枠部５６の立設部５６−２、５６−３に当接して縦枠部５４は下方に容易にスライドできなくなり、縦枠部５４が不用意に外れることがない。つまり、横枠部５６を所定の位置に押さえておけば、他の枠部（つまり、横枠部５２と、縦枠部５４と、縦枠部５８）は移動することがなく、安全である。
【００６８】
以上のようにして、フェンス本体Ａの組立てが完了したら、上記において基礎部Ｃに取り付けた支柱に該フェンス本体Ａを取り付ける。つまり、フェンス本体Ａを支柱の取付け部に配置してボルトＶを取付け部に設けられた穴部に差し込んでねじ込む。すると、このボルトは、縦枠部５４、５８に設けられた穴部を通してラチス材５の縦枠部１４、１８に設けられた部材Ｒにねじ込まれてフェンス本体Ａが支柱に固定される。
【００６９】
以上のようにフェンスＰを組み立てたら所定の設置個所に設置するが、その際には、地面に基礎部Ｃを埋めるための穴部を予め形成しておき、この穴部に基礎部Ｃを入れた後に該穴部にコンクリートを流し込む。このコンクリートが乾燥すれば、フェンスＰの設置が完了する。なお、基礎部Ｃは特に枠状の本体部５００を有しているので、この基礎部Ｃを地中に埋設することにより、支柱の立設状態を強固に保つことができる。
【００７０】
また、フェンスＰを野外に設置した状態で長年経過すると、ラチス材５が木製であるので、このラチス材５が雨水等により腐食するおそれがあるが、その場合には、フェンスＰにおいてこのラチス材５のみを取り替えればよい。その場合には、フェンス本体Ａを支柱から取り外し、その後、フェンス本体Ａから枠状部５０を取り外す。枠状部５０を取り外す場合には、取付けの順序の逆の順序で行えばよい。つまり、横枠部５６をスライドさせて取り外した後に、縦枠部５４と縦枠部５８とをスライドさせて取り外し、最後に横枠部５２をスライドさせて取り外す。そして、新たなラチス材５に取り外した枠状部５０を取り付けた後に、ラチス材５が取り替えられたフェンス本体Ａを支柱に再度取り付ければよい。
【００７１】
以上のように、ラチス材５が腐食した場合でもラチス材５のみを交換することができるので、コストを低減させることが可能となる。
【００７２】
また、ラチス材５の枠状部１０は、金属製の枠状部５０によりカバーされているので、その意味では、木製の枠状部１０の腐食を防止することができる。
【００７３】
なお、上記の説明において、フェンス本体Ａにおいて、１つのラチス材５に４つの枠部（つまり、横枠部５２、５６と縦枠部５４、５８）を設けるものとして説明したが、これには限られず、一対の金属製の横枠部に２つ以上のラチス材を取り付けるようにしてもよい。つまり、その場合のフェンス本体においては、１つのラチス材の左右には縦方向の枠部である縦枠部が取り付けられ、各ラチス材の上端と下端には、複数のラチス材をつなげるように１本の横方向の枠部である横枠部が取り付けられている。つまり、対向する横枠部の間に複数のラチス材が取り付けられ（その場合、ラチス材には当然スライド可能に取り付けられている）、各ラチス材の左右の側端には縦枠部が取り付けられていることになる。このようにすることにより、フェンス本体を複数のラチス材を有する形とすることができるので、図２に示すようなフェンス本体Ａをフェンス本体Ａの両側に支柱を並べて取り付ける代わりに、支柱の数を少なくしてラチス材を設置することが可能となる。
【００７４】
次に、上記フェンス本体Ａの構成を応用したプランターについて説明する。プランターＱは、図１１に示すように、プランター本体（ラチス状部材）Ｅと、支柱Ｂ１０、Ｂ１２と、枠状基部Ｆと、棒状部Ｇ等を有している。
【００７５】
ここで、プランター本体Ｅは、上記フェンス本体Ａと同様の構成であり、ラチス材の周囲に金属製の枠部を取り付けたものであり、該ラチス材は木製で、枠状部と格子状部とを有し、該枠状部の正面側と背面側には、フェンス本体Ａと同様に溝部が設けられていて、金属製の枠部に設けられた係止部を係止させてスライドさせることができるようになっている。なお、ラチス材の周囲に設けられる金属製の枠部としては、一対の横枠部と一対の縦枠部とからなる。この図１１に示すプランターＱでは、３つのプランター本体Ｅが設けられている。
【００７６】
また、支柱Ｂ１０、Ｂ１２は、プランター本体Ｅを立設させるための支柱であり、２つのプランター本体Ｅを直角方向に連結して支持するのに使用する。この支柱Ｂ１０、Ｂ１２は、ともに、断面コ字状の柱状形状と断面Ｌ字状の柱状形状とを組み合わせた柱状の形状を呈している。この支柱Ｂ１０、Ｂ１２は金属製（例えば、ステンレス製）である。この支柱Ｂ１０と支柱Ｂ１２とは、互いに対称、すなわち、面対称の形状となっている。この支柱Ｂ１０、Ｂ１２ともに、開口部分は直角方向を向いているといえる。なお、支柱Ｂ１０、Ｂ１２において、開口部分は上端から下端まで開口しており、上記支柱Ｂ２のように台部は設けられていない。
【００７７】
また、枠状基部Ｆは、板状部材（例えば、金属製の枠状部材）を折曲して形成した側部Ｆ１０と側部Ｆ１２とを組み合わせて枠状に形成したものである。なお、隣接する側部同士はＬ字板状のコーナーガードを介して連結する。
【００７８】
また、棒状部Ｇは丸棒状であり、互いに平行なプランター本体Ｅ間の長さよりも若干長く形成されている。
【００７９】
上記構成のプランターＱの組立てについて説明する。まず、枠状基部Ｆを用意し、この枠状基部Ｆにプランター本体Ｅと接続するための取付け具３００を予め取り付けておく。そして、中央に位置するプランター本体Ｅに支柱Ｂ１０、Ｂ１２を取り付ける。取付けに当たっては、支柱Ｂ１０、Ｂ１２に設けられた穴部にボルトＶを挿通しプランター本体Ｅにねじ込むようにする。支柱Ｂ１０、Ｂ１２の取付けが完了したら、他のプランター本体Ｅを支柱に取り付ける。つまり、支柱Ｂ１０と支柱Ｂ１２の他の開口部分にプランター本体Ｅを配置してボルトにより固定する。その際、互いに平行なプランター本体Ｅには、棒状部Ｇを挿入するための穴部が設けられているので、この穴部に棒状部Ｇを配置しておく。
【００８０】
以上のようにプランター本体Ｅと支柱Ｂ１０、Ｂ１２の取付けが完了したら、枠状基部Ｆの周囲に配置して固定する。つまり、Ｌ字状の取付け金具により、枠状基部Ｆとプランター本体Ｅの金属製の枠部とを接続したり、該取付け金具により、枠状基部Ｆと支柱Ｂ１０、Ｂ１２とを接続したりして、プランター本体Ｅと支柱Ｂ１０、Ｂ１２とで構成される構成体を枠状基部Ｆに固定する。なお、プランターＱを設置位置に配置する際には、枠状基部Ｆ内に、複数の貫通孔が設けられた板状部材を敷くとともに、該板状部材の上に布を敷くようにするのが好ましい。そして、この布の上から枠状基部Ｆ内に土を入れて、草花を育成するのに用いる。
【００８１】
また、本実施例のプランターＱには、棒状部Ｇが設けられているので、この棒状部Ｇに植木鉢等をぶら下げることができ、また、プランター本体Ｅには、格子状部が設けられているので、この格子状部に植木鉢等をぶら下げることもできる。
【００８２】
このプランターＱにおいても、ラチス材が腐食した場合にはラチス材のみを交換することができるので、コストを低減させることが可能となる。また、プランター本体Ｅにおける金属製の枠状部の取外しや取付けにおいては、ラチス材にレール状の溝部が設けられ、枠状部を構成する枠部に該溝部に係止する係止部が設けられているので、作業が容易となる。
【００８３】
なお、プランターＱにおいては、中央に位置するプランター本体Ｅは１つであるとして説明したが、断面Ｈ状の支柱を用いて複数のプランター本体Ｅを直線状に配設し、他の２つのプランター本体Ｅを直角方向に配設して、全体にプランター本体Ｅをコ字状に配設するようにしてもよい。
【００８４】
なお、上記の説明において、フェンス本体Ａやプランター本体Ｅにおいて、ラチス材５における枠状部１０には、溝部Ｍが設けられているとしたが、底部に位置し、水抜き用の貫通穴１７が設けられている横枠部１６の溝部Ｍの底部は、該貫通穴１７に向けて傾斜しているようにしてもよい。また、横枠部１６の溝部Ｍの内壁は水が溜まり腐食しやすいので、腐食防止用の塗料（「耐腐食性のある塗料」としてもよい）を塗布するようにしてもよい。また、この横枠部１６の溝部Ｍを被覆するカバーを設けるようにしてもよい。つまり、溝部Ｍを格子状部４０の部分を除いて複数のカバー部により被覆することにより、溝部Ｍへの水の侵入をなるべく少なくすることができ、これにより、横枠部１６の腐食をできる限り少なくすることができる。
【００８５】
また、上記の説明において、上記ラチス材５は、釘、ネジ等を除いて木製であるとしたが、これには限られず、少なくとも一部が木製であればよく、例えば、ラチス材５における格子状部４０のみが木製であるとしてもよい。また、逆に、ラチス材５を構成するすべての部材（つまり、釘、ネジ等も含めて）が木製であるとしてもよい。
【００８６】
【発明の効果】
本発明に基づくラチス状部材、フェンス及びプランターによれば、ラチス状部材において、ラチス材の周囲に金属製の第２枠状部が設けられているので、ラチス材が腐食した場合には、このラチス材のみを交換すればよく、コストを削減することができる。また、ラチス材の枠状部に溝部が設けられ、第２枠状部に係止部が設けられているので、この係止部を溝部に係止させてスライドさせていけばよいので、第２枠状部の取付けや取外しが容易となる。また、第２枠状部をラチス材に取り付けた状態では、この係止部がラチス材の枠状部の溝部に係止しているので、第２枠状部のラチス材からの脱落を防止することができる。
【図面の簡単な説明】
【図１】本発明の実施例に基づくフェンスの構成を示す斜視図である。
【図２】本発明の実施例に基づくフェンスにおけるフェンス本体の構成を示す斜視図である。
【図３】本発明の実施例に基づくフェンスにおけるラチス材の構成を示す斜視図である。
【図４】フェンス本体の上端部分における横断面図である。
【図５】フェンス本体の右端部分における横断面図である。
【図６】フェンス本体の下端部分における横断面図である。
【図７】フェンス本体の左端部分における横断面図である。
【図８】本発明の実施例に基づくフェンスにおける支柱の構成を示す斜視図である。
【図９】本発明の実施例に基づくフェンスにおける支柱の構成を示す斜視図である。
【図１０】本発明の実施例に基づくフェンスにおける基礎部の構成を示す斜視図である。
【図１１】本発明の実施例に基づくプランターの構成を示す斜視図である。
【符号の説明】
Ｐ  フェンス
Ｑ  プランター
Ａ  フェンス本体
Ｂ１、Ｂ２、Ｂ３、Ｂ１０、Ｂ１２  支柱
Ｅ  プランター本体
Ｆ  枠状基部
Ｇ  棒状部
５  ラチス材
１０  枠状部
１２、１６  横枠部
１４、１８  縦枠部
２０  溝状部
２２、２６、３２、３６  横溝部
２４、２８、３４、３８  縦溝部
４０  格子状部
５０  枠状部
５２、５６  横枠部
５４、５８  縦枠部
５２ａ、５２ｂ、５４ａ、５４ｂ、５６ａ、５６ｂ、５８ａ、５８ｂ  係止部
【図１】
2005068643.tif 000003
【図２】
2005068643.tif 000004
【図３】
2005068643.tif 000005
【図４】
2005068643.tif 000006
【図５】
2005068643.tif 000007
【図６】
2005068643.tif 000008
【図７】
2005068643.tif 000009
【図８】
2005068643.tif 000010
【図９】
2005068643.tif 000011
【図１０】
2005068643.tif 000012
【図１１】
2005068643.tif 000013